(57)【特許請求の範囲】
【請求項１】
認証装置を備えたゲートに関する入退室管理システムにおいて、
外来者に一時的に貸し出される前記認証装置の認証用カードであって、カードの個々を特定するカード情報を有し、カード返却後に前記カード情報を消去することなく再利用できる外来者カードと、
前記カード情報と対応付けされるカード識別情報が格納されるとともに、外来者カード毎のゲート通行許可情報の「有効」・「無効」およびアクセスレベルが設定されるデータベースと、
前記ゲート通行許可情報の「有効」・「無効」に基づいて前記認証装置による前記カード情報の認証を有効または無効にするゲート制御部と、
カード貸出時に、貸し出した外来者カードに関しての前記データベースに格納されたカード識別情報に外来者の識別情報を関連付けて記憶するとともに、ゲート通行許可情報を「有効」に設定して当該ゲート通行許可情報を前記ゲート制御部に送信する貸出処理手段と、
カード返却時に、前記貸出処理手段により関連付けされた外来者の識別情報を消去するとともに、ゲート通行許可情報を「無効」に設定して当該ゲート通行許可情報を前記ゲート制御部に送信する返却処理手段と、
を備え、
前記外来者カードを前記認証装置に認識させ、前記ゲート制御部の認証照合部が、前記認証装置により読み出された外来者カードのカード情報と前記ゲート制御部の記憶部に記憶したカード識別情報とを照合して、カード情報とカード識別情報とが一致したとき、
貸し出した外来者カードに関しては、「有効」となったゲート通行許可情報に基づき前記ゲート制御部がゲートを解錠し、
返却された外来者カードに関しては、「無効」となったゲート通行許可情報に基づき前記ゲート制御部がゲートを施錠したままとすることを特徴とする入退室管理システム。
【請求項２】
前記貸出処理手段は、許可ゲートを追加設定可能な追加ゲート設定手段を備え、
前記返却処理手段は、前記追加ゲート設定手段の許可ゲートの追加設定を消去する追加ゲート消去手段を備えることを特徴とする請求項１に記載の入退室管理システム。
【発明の詳細な説明】
【技術分野】
【０００１】
本発明は、入退室管理システムに関する。
【背景技術】
【０００２】
外来者に一時的にカードを貸与して入退室を管理するシステムの従来例として特許文献１に記載のものが挙げられる。特許文献１の技術は、カードに個人識別データを書き込み、このカードに書き込んだ個人識別データと同一の個人識別データが入退室判定装置の記憶部に記憶されているとき、外来者の入退出を許可する。そして、記憶部は、個人識別データと関連させて職員または外来者のいずれかを区別するデータを記憶し、入退室判定装置は、退室と判断したときに職員または外来者のいずれかを判断し、外来者と判断したときに記憶部に記憶されている外来者の個人識別データを消去する。個人識別データが記憶部から消去されるので、そのカードでの再入室が不可となる。
【先行技術文献】
【特許文献】
【０００３】
【特許文献１】特開２００５−２５８７７７号公報
【発明の概要】
【発明が解決しようとする課題】
【０００４】
しかしながら、前記特許文献１の技術によると、カードに個人識別データを書き込んでいるため、返却されたカードを再利用するにあたり、その都度カードから個人識別データを消去する必要があり、カードの管理体系に手間がかかりやすい。
【０００５】
本発明は、このような問題を解決するために創作されたものであり、外来者に貸与するカードの管理体系が簡単になる入退室管理システムを提供することを目的としている。
【課題を解決するための手段】
【０００６】
本発明は、前記課題を解決するため、認証装置を備えたゲートに関する入退室管理システムにおいて、外来者に一時的に貸し出される前記認証装置の認証用カードであって、カードの個々を特定するカード情報を有し、カード返却後に前記カード情報を消去することなく再利用できる外来者カードと、前記カード情報と対応付けされるカード識別情報が格納されるとともに、外来者カード毎のゲート通行許可情報の「有効」・「無効」およびアクセスレベルが設定されるデータベースと、前記ゲート通行許可情報の「有効」・「無効」に基づいて前記認証装置による前記カード情報の認証を有効または無効にするゲート制御部と、カード貸出時に、貸し出した外来者カードに関しての前記データベースに格納されたカード識別情報に外来者の識別情報を関連付けて記憶するとともに、ゲート通行許可情報を「有効」に設定して当該ゲート通行許可情報を前記ゲート制御部に送信する貸出処理手段と、カード返却時に、前記貸出処理手段により関連付けされた外来者の識別情報を消去するとともに、ゲート通行許可情報を「無効」に設定して当該ゲート通行許可情報を前記ゲート制御部に送信する返却処理手段と、を備え、前記外来者カードを前記認証装置に認識させ、前記ゲート制御部の認証照合部が、前記認証装置により読み出された外来者カードのカード情報と前記ゲート制御部の記憶部に記憶したカード識別情報とを照合して、カード情報とカード識別情報とが一致したとき、貸し出した外来者カードに関しては、「有効」となったゲート通行許可情報に基づき前記ゲート制御部がゲートを解錠し、返却された外来者カードに関しては、「無効」となったゲート通行許可情報に基づき前記ゲート制御部がゲートを施錠したままとすることを特徴とする。
【０００７】
当該入退室管理システムによれば、外来者の識別情報をデータベースのカード識別情報に一時的に関連付けて記憶し、カード返却時にこの関連付けた外来者の識別情報を削除する構成としたので、外来者カードには何らデータ消去等の作業を要することなく再利用できる。
【０００８】
また、本発明は、前記貸出処理手段は、許可ゲートを追加設定可能な追加ゲート設定手段を備え、前記返却処理手段は、前記追加ゲート設定手段の許可ゲートの追加設定を消去する追加ゲート消去手段を備えることを特徴とする。
【０００９】
本発明によれば、必ず使用する若しくは使用頻度の高い主要なゲートについてはアクセスレベルで設定しておき、他のゲートについては追加ゲート設定手段により追加設定することになり、オペレータにとって、貸出時の許可ゲートの設定作業が簡単になる。返却時においては追加ゲート消去手段により許可ゲートの追加設定が消去されるので、オペレータによる消去忘れのミスも生じない。
【発明の効果】
【００１０】
本発明の入退室管理システムによれば、外来者の識別情報をデータベースのカード識別情報に一時的に関連付けて記憶し、カード返却時にこの関連付けた外来者の識別情報を削除する構成としたので、外来者カードには何らデータ消去等の作業を要することなく再利用でき、カードの管理体系が簡単になる。
【図面の簡単な説明】
【００１１】
【図１】本発明に係る入退室管理システムの構成例を示す図である。
【図２】本発明に係る入退室管理システムのブロック図である。
【図３】カード識別情報の設定画面例である。
【図４】カード識別情報の設定画面例である。
【図５】カード識別情報の設定画面例である。
【図６】カードの貸出時に表示される画面例である。
【図７】カードの貸出時に表示される画面例である。
【図８】カードの貸出時に表示される画面例である。
【図９】カードの返却時に表示される画面例である。
【発明を実施するための形態】
【００１２】
本実施形態に係る入退室管理システム１の主構成は、図１に示すように、複数の外来者カード２と、管理サーバ３と、管理サーバ３に接続される入力端末４、モニタ５と、管理サーバ３に接続される入退室制御装置６と、入退室制御装置６により施解錠制御されるゲート７と、ゲート７周りに設置される認証装置８と、からなる。
【００１３】
外来者カード２は、外来者に一時的に貸し出される前記認証装置８の認証用カードであって、例えば守衛室や受付などで貸し出される。貸し出された外来者カード２が認証装置８により認証されるとゲート７が解錠され、外来者は入室することができる。ゲート７からの退室後、外来者カード２は元の守衛室や受付、もしくは専用のカード返却装置に返却される。外来者カード２はＩＣカードや磁気カード等であるが、カード方式は特に限定されるものではない。
【００１４】
管理サーバ３は、パソコン等のコンピュータからなり、入力端末４を利用しての入退室制御装置６や認証装置８の設定機能や、訪問中の外来者の検索機能、入退室履歴の検索機能等を備える。モニタ５には、各種の設定情報や検索情報、履歴情報が表示される。
【００１５】
入退室制御装置６は、ＣＰＵ、メモリ等から構成される。入退室制御装置６は、ＬＡＮを介して管理サーバ３に接続するとともに、制御専用回線を介してゲート７の電気錠および認証装置８に接続する。図２に示すように、入退室制御装置６は、カードリーダ等からなる認証装置８により読み出された外来者カード２の認証情報を照合する認証照合部１３と、ゲート７の電気錠の施解錠制御を行う施解錠制御部１４とを備える。
【００１６】
本発明の入退出管理システム１は、図２に示すように、前記外来者カード２にカードの個々を特定するカード情報Ｓを設ける構成としたうえで、カード情報Ｓと対応付けされたカード識別情報Ｄ１が格納されるとともに、外来者カード２毎のゲート通行許可情報Ｄ２の「有効」・「無効」およびアクセスレベルが設定されるデータベース９と、前記ゲート通行許可情報の「有効」・「無効」に基づいて認証装置８によるカード情報Ｓの認証を有効または無効にするゲート制御部１０と、カード貸出時に、貸し出した外来者カード２に関してのデータベース９に格納されたカード識別情報Ｄ１に外来者の識別情報Ｄ３を関連付けて記憶するとともに、ゲート通行許可情報Ｄ２を「有効」に設定して、この「有効」となったゲート通行許可情報Ｄ２をゲート制御部１０に送信する貸出処理手段１１と、カード返却時に、貸出処理手段１１により関連付けされた外来者の識別情報Ｄ３を消去するとともに、ゲート通行許可情報Ｄ２を「無効」に設定して、この「無効」となったゲート通行許可情報Ｄ２をゲート制御部１０に送信する返却処理手段１２と、を備えている。
【００１７】
本実施形態において、データベース９は管理サーバ３の記憶部によって構成され、貸出処理手段１１および返却処理手段１２は管理サーバ３の演算部および記憶部によって構成され、ゲート制御部１０は入退室制御装置６によって構成される。
【００１８】
外来者カード２に設けられるカード情報Ｓは、カードの個々を特定でき、前記認証装置８により読み取り可能なデータであればいかなるものでもよく、例えば、データベース９に格納されるカード識別情報Ｄ１でもよいし、カード識別情報Ｄ１と異なるデータであってもよい。
【００１９】
カード識別情報Ｄ１をカード情報Ｓに対応付ける方法としては、例えば管理サーバ３に接続したカードリーダ（図示せず）を用い、当該カードリーダで読み取った外来者カード２のカード情報Ｓと入力端末４により入力したカード識別情報Ｄ１とを対応付ける。
【００２０】
カード識別情報Ｄ１は、運用前の準備段階に予めデータベース９に設定登録される情報である。図３はモニタ５に表示される情報設定画面を示し、カード識別情報Ｄ１として、オペレータは、「基本情報」タブの状態で「個人ＩＤ」情報Ｂ１、「カードフォーマットＮｏ．」情報Ｂ２、「カードＮｏ．」情報Ｂ３を入力するとともに、図４に示すように「管理」タブをクリックしたうえで管理種別として「外来者」情報Ｂ４の欄を「あり」に選択する。図３では「個人ＩＤ」情報Ｂ１として「ＩＤ００００２１」と入力し、「カードフォーマットＮｏ．」情報Ｂ２として「００００００１」と入力し、「カードＮｏ．」情報Ｂ３として「１０００２１」と入力した場合を示している。少なくとも「個人ＩＤ」情報Ｂ１および「カードＮｏ．」情報Ｂ３は、カード毎に異なるデータである。また、前記したゲート通行許可情報Ｄ２の「無効」の設定として、「一時禁止」ボタンＣ１は「禁止」に設定される。
【００２１】
次いで「本権限」タブをクリックすると、情報設定画面が図５のように切り替わり、オペレータはアクセスレベルを設定する。アクセスレベルとは、ゲート７が複数存在する場合において、ゲート７毎のアクセス権限（通行許可）の有無のパターンから構成される。そして、ゲート７毎にタイムコードＮｏ．、タイムコード名称が設定される。タイムコードＮｏ．、タイムコード名称は利用時間帯（通行許可時間帯）の違いのパターンから構成される。
【００２２】
例えば、ゲート７が３つあってそれぞれのゲートＮｏ．をゲートＮｏ．１〜Ｎｏ．３とすると、アクセス権限の有無のパターンのみを考慮したアクセスレベルとしては、ゲートＮｏ．１のみ通行許可するパターンとして「アクセスレベル１」が設定され、ゲートＮｏ．１とゲートＮｏ．２のみ通行許可するパターンとして「アクセスレベル２」が設定され、ゲートＮｏ．１〜ゲートＮｏ．３の全てを通行許可するパターンとして「アクセスレベル３」が設定される。つまり、ゲートＮｏ．１を必ず使用するゲート７とした場合、「アクセスレベル１」が最低限のアクセスレベルとなる。
【００２３】
ゲート７が多数あるときにはその組み合わせ数がかなり増えるが、一般にはその中で多用する幾つかのパターンのみをアクセスレベルとして設定する。
【００２４】
アクセスレベルの設定は、全ての外来者カード２に同じアクセスレベルを設定することもできるし、異なるアクセスレベルを混在させることもできる。設定したアクセスレベルは、基本的に貸出時には追加や変更はしない。もし、追加や変更をするとカードの返却時に元に戻す操作が必要となる。貸出時に許可ゲートを追加する場合は、後記するように図８の「外来者登録−一時権限」画面で行う。
【００２５】
以上のように、データベース９（管理サーバ３）にカード識別情報Ｄ１、アクセルレベル、ゲート通行許可情報Ｄ２（この場合、「無効」の情報）が設定されると、これらの情報はゲート制御部１０（入退室制御装置６）に送信されて入退室制御装置６の記憶部（図示せず）に記憶される。
【００２６】
「貸出時の手順、作用」
貸出時の手順の一例を説明すると、受付のオペレータは外来者の入室申請を受け、身分証明書等の提示を求めて本人確認を行う。次いで、ストックしている複数の外来者カード２の中から任意に一枚を取り出し、図６に示すモニタ５の外来者一覧画面でその取り出したカードを貸し出すカードとして選択する。一例として、外来者カード２の表面に「個人ＩＤ」の番号が付されている場合、オペレータは図６に示すモニタ５の外来者一覧画面の中で、その取り出したカードに付された「個人ＩＤ」番号と同じ「個人ＩＤ」番号のカード一覧情報Ｂ５を選択する。
【００２７】
図６の画面においてオペレータが「貸出」ボタンＣ２をクリックすると、図７に示す「外来者登録−基本情報」画面に切り替わり、オペレータは必要に応じて「氏名」、「ふりがな」、「所属」、「開始日時」、「有効日時」、「用件」、「面会者」、「行き先」等の外来者の識別情報Ｄ３を入力する。デジタルカメラ、スキャナ等で保存した画像を顔写真として入力することも可能である。
また、他の例としては、オペレータが任意に取り出した外来者カード２のカード情報Ｓをカードリーダ（図示せす）により読み込ませると、予めカード情報Ｓに対応付けて入力してあるカード識別情報Ｄ１に基づいて、読み込んだ外来者カード２の図７の「外来者登録−基本情報」画面が自動で開くようにしてもよい。
【００２８】
また、通行の許可ゲートを別途追加する場合には、図８に示す「外来者登録−一時権限」画面で追加する許可ゲートを入力する。当該追加した許可ゲートに関するデータはカード返却時に自動で削除される。そして、オペレータは図７の画面の「貸出」ボタンＣ３をクリックし、外来者に取り出した外来者カード２を貸し出す。「貸出」ボタンＣ３をクリックしたとき、ゲート通行許可情報Ｄ２（図２）は自動で「有効」に設定される。
【００２９】
以上の貸出手順により、図２において貸出処理手段１１は、貸し出した外来者カード２に関してのデータベース９に格納されたカード識別情報Ｄ１に外来者の識別情報Ｄ３を関連付けて記憶するとともに、貸し出した外来者カード２に関して「有効」となったゲート通行許可情報Ｄ２をゲート制御部１０に送信する。ゲート制御部１０は、この「有効」となったゲート通行許可情報Ｄ２に基づいて、認証装置８によるカード情報Ｓの認証を有効とする。これにより、外来者が認証装置８に外来者カード２をかざすとゲート７の電気錠が解錠され、外来者は入室可能となる。具体的には、外来者が認証装置８に外来者カード２をかざすと、入退室制御装置６の認証照合部１３が、認証装置８により読み出された外来者カード２のカード情報Ｓと入退室制御装置６の記憶部に記憶したカード識別情報Ｄ１とを照合し、両者が一致したとき、「有効」となったゲート通行許可情報Ｄ２、アクセスレベル、外来者の識別情報Ｄ３に基づき、入退室制御装置６の施解錠制御部１４がゲート７の電気錠を解錠する。モニタ５（図１）では貸出中の外来者カード２のカード識別情報Ｄ１や外来者の識別情報Ｄ３を検索表示できるようになっている。
【００３０】
また、貸出処理手段１１はその追加ゲート設定手段１５により、図８の「外来者登録−一時権限」画面で許可ゲートの追加入力がなされた場合、その追加入力がなされた許可ゲートを追加設定する。これにより、外来者はアクセスレベルで設定した許可ゲートに加え、追加ゲート設定手段１５で追加設定した許可ゲートも通行可能となる。
【００３１】
「返却時の手順、作用」
返却時の手順の一例を説明すると、外来者から外来者カード２の返却を受けると、受付のオペレータは図９に示すモニタ５の外来者一覧画面で返却されたカードを選択する。一例として、外来者カード２の表面に「個人ＩＤ」の番号が付されている場合、オペレータは図９に示すモニタ５の外来者一覧画面の中で、返却されたカードに付された「個人ＩＤ」番号と同じ「個人ＩＤ」番号のカード一覧情報Ｂ６を選択する。
【００３２】
図９の画面においてオペレータが「返却」ボタンＣ４をクリックすると、ゲート通行許可情報Ｄ２（図２）は自動で「無効」に設定される。図７の「外来者登録−基本情報」画面で入力した「氏名」、「ふりがな」、「所属」、「開始日時」、「有効日時」、「用件」、「面会者」、「行き先」等の外来者の識別情報Ｄ３は自動で削除される。図８の画面で追加入力した許可ゲートに関するデータも自動で削除される。そして、返却の履歴情報が管理サーバ３に記憶される。また、他の例としては、返却された外来者カード２のカード情報Ｓをカードリーダ（図示せす）により読み込ませると、予めカード情報Ｓに対応付けて入力してあるカード識別情報Ｄ１に基づいて、読み込んだ外来者カード２の図７の「外来者登録−基本情報」画面が自動で開くようにして、上記の返却処理をしてもよい。
【００３３】
以上の返却手順により、図２において返却処理手段１２は、貸出処理手段１１により関連付けされた外来者の識別情報Ｄ３を消去するとともに、返却された外来者カード２に関してゲート通行許可情報Ｄ２を「無効」に設定し、この「無効」となったゲート通行許可情報Ｄ２をゲート制御部１０に送信する。ゲート制御部１０は、この「無効」となったゲート通行許可情報Ｄ２に基づいて、認証装置８によるカード情報Ｓの認証を無効とする。これにより、返却された外来者カード２を認証装置８にかざしてもゲート７の電気錠は解錠されず、入室が不可能となる。具体的には、外来者が認証装置８に外来者カード２をかざすと、入退室制御装置６の認証照合部１３が、認証装置８により読み出された外来者カード２のカード情報Ｓと入退室制御装置６の記憶部に記憶したカード識別情報Ｄ１とを照合し、このときたとえ両者が一致しても、「無効」となったゲート通行許可情報Ｄ２に基づき、入退室制御装置６の施解錠制御部１４がゲート７の電気錠を施錠したままとする。
【００３４】
また、貸出処理手段１１の追加ゲート設定手段１５により許可ゲートが追加設定されていた場合、返却処理手段１２はその追加ゲート消去手段１６により許可ゲートの追加設定を消去する。これにより、返却される外来者カード２は全て、同じアクセスレベルで許可されている許可ゲートのみ通行可能な状態に戻る。
【００３５】
以上のように、カードの個々を特定するカード情報Ｓを有する外来者カード２と、カード情報Ｓと対応付けされるカード識別情報Ｄ１が格納されるとともに、外来者カード２毎のゲート通行許可情報Ｄ２の「有効」・「無効」およびアクセスレベルが設定されるデータベース９と、ゲート通行許可情報Ｄ２の「有効」・「無効」に基づいて認証装置８によるカード情報Ｓの認証を有効または無効にするゲート制御部１０と、カード貸出時に、貸し出した外来者カード２に関してのデータベース９に格納されたカード識別情報Ｄ１に外来者の識別情報Ｄ３を関連付けて記憶するとともに、ゲート通行許可情報Ｄ２を「有効」に設定して、この「有効」となったゲート通行許可情報Ｄ２をゲート制御部１０に送信する貸出処理手段１１と、カード返却時に、貸出処理手段１１により関連付けされた外来者の識別情報Ｄ３を消去するとともに、ゲート通行許可情報Ｄ２を「無効」に設定して、この「無効」となったゲート通行許可情報Ｄ２をゲート制御部１０に送信する返却処理手段１２と、を備える入退室管理システム１によれば、次のような効果が奏される。
特許文献１の技術は、個人識別データ（外来者の識別情報）をカードに書き込む技術であることから、カードを再利用するにあたりカードから個人識別データを削除する必要があるのに対し、本発明の入退室管理システム１では、外来者の識別情報Ｄ３をデータベース９のカード識別情報Ｄ１に一時的に関連付けて記憶し、カード返却時にこの関連付けた外来者の識別情報Ｄ３を消去する構成としたので、外来者カード２には何らデータ消去等の作業を要することなく再利用できる。
【００３６】
また、貸出処理手段１１は、許可ゲートを追加設定可能な追加ゲート設定手段１５を備え、返却処理手段１２は、追加ゲート設定手段１５の許可ゲートの追加設定を消去する追加ゲート消去手段１６を備える構成とすれば、必ず使用する若しくは使用頻度の高い主要なゲート７についてはアクセスレベルで設定しておき、他のゲート７については追加ゲート設定手段１５により追加設定することになり、オペレータにとって、貸出時の許可ゲートの設定作業が簡単になる。返却時においては追加ゲート消去手段１６により許可ゲートの追加設定が消去されるので、オペレータによる消去忘れのミスもない。
【００３７】
本実施形態の入退室管理システム１では、管理サーバ３に、カードの貸出履歴、返却履歴、入室履歴、退室履歴、エラー情報履歴が記憶され、これらの履歴は入力端末４の操作によりモニタ５で表示可能である。各履歴は、少なくとも、発生日時と、貸し出した外来者カード２を特定する情報（カード識別情報Ｄ１）と、外来者を特定する情報（例えば少なくとも氏名を含む外来者の識別情報Ｄ３）とから構成される。また、入力端末４の操作により、貸出中の外来者カード２の検索や貸出前の外来者カード２の検索も可能である。さらに、外来者カード２に貸し出してからの有効日時が設定されている場合には、有効日時を過ぎた未返却の外来者カード２を検索することも可能である。
【００３８】
また、カードの返却態様として、外来者カード２を受付に返却させるのではなく、図１に示すようなカード回収ボックス２１に返却させることも可能である。カード回収ボックス２１は、外来者カード２の差込返却口２１ａを有しており、内部にはカード情報Ｓを読み取り可能なカードリーダが内蔵されている。このカード回収ボックス２１に外来者カード２が返却されると、内蔵のカードリーダがカード情報Ｓを読み取り、その読み取り情報は管理サーバ３に送信される。管理サーバ３では、図２に示す返却処理手段１２が自動で外来者の識別情報Ｄ３を消去するとともに、返却された外来者カード２に関してゲート通行許可情報Ｄ２を「無効」に設定し、この「無効」となったゲート通行許可情報Ｄ２をゲート制御部１０に送信する。
【００３９】
さらに、入退室管理システム１では、図１に示すように管理サーバ３に外来者の予約サーバ２２を接続することも可能である。この場合、外来者は事前に予約サーバ２２により氏名等の外来者の識別情報Ｄ３を入力しておく。予約サーバ２２により入力された外来者の識別情報Ｄ３は、例えば管理者によって確認されたうえで管理サーバ３に送信される。管理サーバ３内では、図６に示した外来者一覧画面が自動的に作成され、図７に示した「外来者登録−基本情報」画面では外来者識別情報Ｄ３が自動的に入力処理される。カード識別情報Ｄ１は、運用前の準備段階に予めデータベース９に設定登録されている。
【００４０】
予約サーバ２２により予約した外来者が受付で入室申請すると、受付のオペレータは身分証明書等の提示を求めて本人確認を行い、その本人確認に基づいて図６に示した外来者一覧画面で該当する一覧情報Ｂ５を確認し、「貸出」ボタンＣ２をクリックする。図７に示す「外来者登録−基本情報」画面に切り替わると、前記したように外来者の識別情報Ｄ３は既に入力処理されているので、オペレータによる入力が不要となる。次いで、オペレータは、ストックしている複数の外来者カード２の中から任意に一枚を取り出し、その外来者カード２の表面に付された「個人ＩＤ」の番号を入力する。外来者カード２のカード情報Ｓをカードリーダ（図示せす）により読み込ませる態様でもよい。そして、「貸出」ボタンＣ３をクリックし、外来者カード２を貸し出す。
【００４１】
以上、本発明の好適な実施形態を説明したが、本発明は上記形態に限定されることなく、その趣旨を逸脱しない範囲で種々の設計変更が可能である。
【符号の説明】
【００４２】
１      入退室管理システム
２      外来者カード
３      管理サーバ
６      入退室制御装置
７      ゲート
８      認証装置
９      データベース
１０      ゲート制御部
１１      貸出処理手段
１２      返却処理手段
１５      追加ゲート設定手段
１６      追加ゲート消去手段
【図１】
0005537191.tif 000002
【図２】
0005537191.tif 000003
【図３】
0005537191.tif 000004
【図４】
0005537191.tif 000005
【図５】
0005537191.tif 000006
【図６】
0005537191.tif 000007
【図７】
0005537191.tif 000008
【図８】
0005537191.tif 000009
【図９】
0005537191.tif 000010